(57)【要約】【課題】  フラットフレキシブルケーブルを損傷させず安価に配線すること。【解決手段】  光ピックアップの送りモータの回転角度を検出するエンコーダ１１の投受光器１１ｂ付きエンコーダ基板１１ｃがメインシャーシ５に止着されたディスクプレーヤにおいて、略Ｌ字状ホルダ本体２２Ａと該ホルダ本体２２Ａの水平部２２ａに一体形成した略偏平角筒状ガイド枠２２Ｂからなる合成樹脂製ホルダ２２を有しており、ガイド枠２２Ｂをメインシャーシ５の貫通孔２１に挿入することにより、ホルダ本体２２Ａの水平部２２ａがメインシャーシ５上に載置されると共に、該ホルダ本体２２Ａの垂直部２２ｂにエンコーダ基板１１ｃが配置され、エンコーダ基板１１ｃのコネクタ１９に一端部を接続したフラットフレキシブルケーブルＦＦＣの他端部がガイド枠２２Ｂ内を通過してメイン基板１２のコネクタ２０に接続されている。【選択図】        図４
2005135471.tif 000002
【特許請求の範囲】
【請求項１】
ディスク載置用トレイを前後進可能に支持する筐体が設けられ、ター
ンテーブルと光ピックアップとを搭載したメインシャーシの基端部がヒンジ部を介して筐
体に連結されると共に、該メインシャーシの前部に突設したカム軸が筐体の前部に配置し
た前後進方向とは直行する左右方向にスライド可能なカム板のカム孔に嵌入され、該カム
板をスライドさせることにより、メインシャーシがヒンジ部回りで上下動するように形成
され、前記光ピックアップの送りモータの回転角度を検出するエンコーダの投受光器付き
エンコーダ基板をアングル材の垂直部に複数のビスで止着すると共に、該アングル材の水
平部を複数のビスでメインシャーシに止着することにより、エンコーダ基板がメインシャ
ーシに止着され、該エンコーダ基板のコネクタに一端部を接続したフラットフレキシブル
ケーブルの他端部がメインシャーシの後端部を越えて筐体内の下部に配置したメイン基板
のコネクタに接続されたディスクプレーヤにおいて、前記アングル材に代えて合成樹脂製
ホルダが用いられ、該ホルダは、略Ｌ字状ホルダ本体と、該ホルダ本体の水平部に一体形
成した略偏平角筒状ガイド枠からなり、該ガイド枠の下部をメインシャーシの貫通孔に挿
入することにより、ホルダ本体の水平部がメインシャーシ上に載置されると共に、該ホル
ダ本体の垂直部にエンコーダ基板が配置され、前記エンコーダ基板のコネクタに一端部を
接続したフラットフレキシブルケーブルの他端部がガイド枠内を通過してメイン基板のコ
ネクタに接続され、前記水平部の下面に突起部が突設されると共に、その水平部の一側縁
に略コ字状係合枠が一体延設されており、該係合枠をメインシャーシの側縁から直角に起
立する縁枠部に係合すると共に、前記突起部をメインシャーシに貫設した位置決め孔に嵌
入させ、ビスを水平部の貫通孔を通ってメインシャーシのねじ孔にねじ込むことにより、
その水平部がメインシャーシに止着され、前記係合枠の端部が垂直部の一側縁を通って水
平部とは逆方向に延ばされ、前記垂直部の他側縁に位置決め片が水平部とは逆方向に一体
突設されており、エンコーダ基板の一側縁を係合枠の端部に当接させると共に、該エンコ
ーダ基板の他側縁に凹設した凹部を位置決め片に嵌合させ、ビスをエンコーダ基板の貫通
孔を通って垂直部のねじ孔にねじ込むことにより、その垂直部にエンコーダ基板が止着さ
れていることを特徴とするディスクプレーヤ。
【請求項２】
ディスク載置用トレイを前後進可能に支持する筐体が設けられ、ター
ンテーブルと光ピックアップとを搭載したメインシャーシの基端部がヒンジ部を介して筐
体に連結されると共に、該メインシャーシの前部に突設したカム軸が筐体の前部に配置し
た前後進方向とは直行する左右方向にスライド可能なカム板のカム孔に嵌入され、該カム
板をスライドさせることにより、メインシャーシがヒンジ部回りで上下動するように形成
され、前記光ピックアップの送りモータの回転角度を検出するエンコーダの投受光器付き
エンコーダ基板がメインシャーシに止着されたディスクプレーヤにおいて、略Ｌ字状ホル
ダ本体と該ホルダ本体の水平部に一体形成した略偏平角筒状ガイド枠とからなる合成樹脂
製ホルダを有しており、前記ガイド枠の下部をメインシャーシの貫通孔に挿入することに
より、ホルダ本体の水平部がメインシャーシ上に載置されると共に、該ホルダ本体の垂直
部にエンコーダ基板が配置され、前記エンコーダ基板のコネクタに一端部を接続したフラ
ットフレキシブルケーブルの他端部がガイド枠内を通過してメイン基板のコネクタに接続
されていることを特徴とするディスクプレーヤ。
【請求項３】
前記水平部の下面に突起部が突設されると共に、その水平部の一側縁
に略コ字状係合枠が一体延設されており、該係合枠をメインシャーシの側縁から直角に起
立する縁枠部に係合すると共に、前記突起部をメインシャーシに貫設した位置決め孔に嵌
入させ、ビスを水平部の貫通孔を通ってメインシャーシのねじ孔にねじ込むことにより、
その水平部がメインシャーシに止着されていることを特徴とする請求項２に記載のディス
クプレーヤ。
【請求項４】
前記係合枠の端部が垂直部の一側縁を通って水平部とは逆方向に延ば
され、前記垂直部の他側縁に位置決め片が水平部とは逆方向に一体突設されており、エン
コーダ基板の一側縁を係合枠の端部に当接させると共に、該エンコーダ基板の他側縁に凹
設した凹部を位置決め片に嵌合させ、ビスをエンコーダ基板の貫通孔を通って垂直部のね
じ孔にねじ込むことにより、その垂直部にエンコーダ基板が止着されていることを特徴と
する請求項３に記載のディスクプレーヤ。
【発明の詳細な説明】
【技術分野】
【０００１】
本発明は、例えばＤＶＤ・ＲＷなどの光ディスク及び磁気ディスク（以下、ディスクと
略称する）の再生や記録または消去を行うためのディスクプレーヤに関し、特に、エンコ
ーダ基板とメイン基板とをつなぐフラットフレキシブルケーブルを損傷させず安価に配線
することができるようにしたものである。
【背景技術】
【０００２】
ディスクプレーヤの一例として図６及び図７に示すものがある。これは、ディスクＤ載
置用トレイ１を前後進ａ，ｂ可能に支持する筐体２が設けられ、ターンテーブル３と光ピ
ックアップ４とを搭載したメインシャーシ５の基端部が弾性ゴム製ヒンジ部６を介して筐
体２に連結されると共に、該メインシャーシ５の前部に突設したカム軸７が筐体２の前部
に配置した前後進ａ，ｂ方向とは直行する左右方向ｃ，ｄに移動可能なカム板８のカム孔
８ａに嵌入され、該カム板８をスライドさせることにより、メインシャーシ５がヒンジ部
６回りで上下動ｅ，ｆするように形成され、前記光ピックアップ４のピックアップ部４ａ
をギヤ機構９を介してディスク半径方向ｇ，ｈに往復移動させる送りモータ１０の回転角
度を検出するエンコーダ１１が設けられている。なお、１２は筐体２内の下部に配置した
メイン基板、１３は筐体２の上部に架設した天板部２ａの中央収納部内に昇降可能に配置
した磁石１３ａ付きディスクホルダである。
【０００３】
ローディング動作を説明すると、図６（ａ）は、ディスクＤを載置したトレイ１を筐体
２内に収納し、カム板８を左方向ｃにスライドさせることにより、メインシャーシ５を上
動ｅさせてターンテーブル３によりディスクＤを持ち上げた状態を示しており、光ピック
アップ４の送りモータ１０によりギヤ機構９を介してピックアップ部４ａをディスク半径
方向ｇ，ｈに往復移動させ、該ピックアップ部４ａによりディスクＤに記録されている情
報を読み取る。次に、アンローディング信号に基づいてカム板８を右方向ｄにスライドさ
せることにより、図６（ｂ）に示すように、メインシャーシ５を下動ｆさせてディスクＤ
をトレイ１上に受け渡した後、該トレイ１を前進ａさせる。
【０００４】
前記エンコーダ１１は、送りモータ１０の駆動軸１０ａに固着したスリット１５付きス
リット円板１１ａと、該スリット円板１１ａを間に挟んで対向する投受光器１１ｂと、該
投受光器１１ｂを取り付けたエンコーダ基板１１ｃとを有しており、その投受光器１１ｂ
の検出信号により送りモータ１０の回転数及び回転角度を検出する。
【０００５】
従来、前記エンコーダ１１の取付技術として特許文献１などに記載したものがあり、そ
の一例を図８に基づいて説明すると、エンコーダ基板１１ｃを横断面略Ｌ字状アングル材
１７の垂直部１７ａに複数のビス１８で止着すると共に、該アングル材１７の水平部１７
ｂを複数のビス１８でメインシャーシ５に止着することにより、エンコーダ基板１１ｃが
メインシャーシ５に止着され、エンコーダ基板１１ｃのコネクタ１９に一端部を接続した
フラットフレキシブルケーブルＦＦＣの他端部がメインシャーシ５の後端部５ａを越えて
メイン基板１２のコネクタ２０に接続されている。
【特許文献１】特開平１１−２５１７６９号公報
【発明の開示】
【発明が解決しようとする課題】
【０００６】
上記従来の構成では、フラットフレキシブルケーブルＦＦＣをメインシャーシ５の後端
部５ａを越えて遠回りに配線しているため、該フラットフレキシブルケーブルＦＦＣが長
尺になって材料費が高くつく。また、メインシャーシ５を上下動ｅ，ｆさせる際の振動に
より長尺のフラットフレキシブルケーブルＦＦＣが上下に揺動して撓みやすく、下側に撓
んだフラットフレキシブルケーブルＦＦＣがメインシャーシ５の後端部５ａに接触して損
傷されたり（図８二点鎖線参照）、上側に撓んだフラットフレキシブルケーブルＦＦＣが
トレイ１や筐体に接触して損傷されるおそれがある（図８一点鎖線参照）。
【０００７】
また、エンコーダ基板１１ｃをメインシャーシ５に止着するのに４本以上のビス１８が
必要であって、その本数が多い分だけコストアップになると共に、その止着作業に手間と
時間とがかかって面倒である。
【０００８】
本発明は、上記従来の欠点に鑑み、エンコーダ基板とメイン基板とをつなぐフラットフ
レキシブルケーブルを損傷させず安価に配線すると共に、エンコーダ基板の取付作業を安
価で迅速容易に行うことができるようにしたディスクプレーヤを提供することを目的とし
ている。
【課題を解決するための手段】
【０００９】
上記目的を達成するため、請求項１に記載の発明は、ディスク載置用トレイを前後進可
能に支持する筐体が設けられ、ターンテーブルと光ピックアップとを搭載したメインシャ
ーシの基端部がヒンジ部を介して筐体に連結されると共に、該メインシャーシの前部に突
設したカム軸が筐体の前部に配置した前後進方向とは直行する左右方向にスライド可能な
カム板のカム孔に嵌入され、該カム板をスライドさせることにより、メインシャーシがヒ
ンジ部回りで上下動するように形成され、前記光ピックアップの送りモータの回転角度を
検出するエンコーダの投受光器付きエンコーダ基板をアングル材の垂直部に複数のビスで
止着すると共に、該アングル材の水平部を複数のビスでメインシャーシに止着することに
より、エンコーダ基板がメインシャーシに止着され、該エンコーダ基板のコネクタに一端
部を接続したフラットフレキシブルケーブルの他端部がメインシャーシの後端部を越えて
筐体内の下部に配置したメイン基板のコネクタに接続されたディスクプレーヤにおいて、
前記アングル材に代えて合成樹脂製ホルダが用いられ、該ホルダは、略Ｌ字状ホルダ本体
と、該ホルダ本体の水平部に一体形成した略偏平角筒状ガイド枠からなり、該ガイド枠の
下部をメインシャーシの貫通孔に挿入することにより、ホルダ本体の水平部がメインシャ
ーシ上に載置されると共に、該ホルダ本体の垂直部にエンコーダ基板が配置され、前記エ
ンコーダ基板のコネクタに一端部を接続したフラットフレキシブルケーブルの他端部がガ
イド枠内を通過してメイン基板のコネクタに接続され、前記水平部の下面に突起部が突設
されると共に、その水平部の一側縁に略コ字状係合枠が一体延設されており、該係合枠を
メインシャーシの側縁から直角に起立する縁枠部に係合すると共に、前記突起部をメイン
シャーシに貫設した位置決め孔に嵌入させ、ビスを水平部の貫通孔を通ってメインシャー
シのねじ孔にねじ込むことにより、その水平部がメインシャーシに止着され、前記係合枠
の端部が垂直部の一側縁を通って水平部とは逆方向に延ばされ、前記垂直部の他側縁に位
置決め片が水平部とは逆方向に一体突設されており、エンコーダ基板の一側縁を係合枠の
端部に当接させると共に、該エンコーダ基板の他側縁に凹設した凹部を位置決め片に嵌合
させ、ビスをエンコーダ基板の貫通孔を通って垂直部のねじ孔にねじ込むことにより、そ
の垂直部にエンコーダ基板が止着されていることを特徴としている。
【００１０】
請求項２に記載の発明は、ディスク載置用トレイを前後進可能に支持する筐体が設けら
れ、ターンテーブルと光ピックアップとを搭載したメインシャーシの基端部がヒンジ部を
介して筐体に連結されると共に、該メインシャーシの前部に突設したカム軸が筐体の前部
に配置した前後進方向とは直行する左右方向にスライド可能なカム板のカム孔に嵌入され
、該カム板をスライドさせることにより、メインシャーシがヒンジ部回りで上下動するよ
うに形成され、前記光ピックアップの送りモータの回転角度を検出するエンコーダの投受
光器付きエンコーダ基板がメインシャーシに止着されたディスクプレーヤにおいて、略Ｌ
字状ホルダ本体と該ホルダ本体の水平部に一体形成した略偏平角筒状ガイド枠とからなる
合成樹脂製ホルダを有しており、前記ガイド枠の下部をメインシャーシの貫通孔に挿入す
ることにより、ホルダ本体の水平部がメインシャーシ上に載置されると共に、該ホルダ本
体の垂直部にエンコーダ基板が配置され、前記エンコーダ基板のコネクタに一端部を接続
したフラットフレキシブルケーブルの他端部がガイド枠内を通過してメイン基板のコネク
タに接続されていることを特徴としている。
【００１１】
請求項３に記載の発明は、請求項２に記載の発明において、前記水平部の下面に突起部
が突設されると共に、その水平部の一側縁に略コ字状係合枠が一体延設されており、該係
合枠をメインシャーシの側縁から直角に起立する縁枠部に係合すると共に、前記突起部を
メインシャーシに貫設した位置決め孔に嵌入させ、ビスを水平部の貫通孔を通ってメイン
シャーシのねじ孔にねじ込むことにより、その水平部がメインシャーシに止着されている
ことを特徴としている。
【００１２】
請求項４に記載の発明は、請求項３に記載の発明において、前記係合枠の端部が垂直部
の一側縁を通って水平部とは逆方向に延ばされ、前記垂直部の他側縁に位置決め片が水平
部とは逆方向に一体突設されており、エンコーダ基板の一側縁を係合枠の端部に当接させ
ると共に、該エンコーダ基板の他側縁に凹設した凹部を位置決め片に嵌合させ、ビスをエ
ンコーダ基板の貫通孔を通って垂直部のねじ孔にねじ込むことにより、その垂直部にエン
コーダ基板が止着されていることを特徴としている。
【発明の効果】
【００１３】
請求項１に記載の発明によれば、ホルダのガイド枠がメインシャーシの貫通孔に挿通さ
れており、該ガイド枠内にフラットフレキシブルケーブルを挿通してエンコーダ基板とメ
イン基板とを接続しているから、該フラットフレキシブルケーブルの長さを従来に比べて
短くして材料費を安くすることができる。また、前記ガイド枠が合成樹脂により成形され
ているから、そのガイド枠でフラットフレキシブルケーブルを損傷させるおそれがなく、
しかも、メインシャーシの上下動によりフラットフレキシブルケーブルが大きく揺動され
ることもないので、該フラットフレキシブルケーブルが従来のようにトレイや筐体に接触
して損傷されるおそれもない。更に、ガイド枠がエンコーダ基板を支持するホルダ本体に
一体形成されているから、部品点数が増加せず、経済的であり、エンコーダの取付作業及
びフラットフレキシブルケーブルの配線作業を迅速容易に行うことができる。
【００１４】
また、ホルダ本体の水平部に一体延設した係合枠をメインシャーシの縁枠部に係合させ
ると共に、該水平部に突設した突起部をメインシャーシの位置決め孔に嵌入させるだけで
、ホルダをメインシャーシ上の所定位置に位置決めすることができ、しかも、１本のビス
を水平部の貫通孔を通ってメインシャーシのねじ孔にねじ込むだけで、ホルダをメインシ
ャーシに止着することができ、その止着に要するビスが従来より少なくてよいから、その
少なくなった分だけコストダウンを図ることができると共に、その止着作業を迅速容易に
行うことができる。
【００１５】
更に、エンコーダ基板の一側縁を係合枠の端部に当接させると共に、該エンコーダ基板
の他側縁に形成した凹部を位置決め片に嵌合させるだけで、そのエンコーダ基板をホルダ
の所定位置に位置決めすることができ、しかも、１本のビスをエンコーダ基板の貫通孔を
通って垂直部のねじ孔にねじ込むだけで、エンコーダ基板をホルダに止着することができ
、その止着に要するビスが従来より少なくてよいから、その少なくなった分だけコストダ
ウンを図ることができると共に、その止着作業を迅速容易に行うことができる。
【００１６】
請求項２に記載の発明によれば、ホルダのガイド枠がメインシャーシの貫通孔に挿通さ
れており、該ガイド枠内にフラットフレキシブルケーブルを挿通してエンコーダ基板とメ
イン基板とを接続しているから、該フラットフレキシブルケーブルの長さを従来に比べて
短くして材料費を安くすることができる。また、前記ガイド枠が合成樹脂により成形され
ているから、そのガイド枠でフラットフレキシブルケーブルを損傷させるおそれがなく、
しかも、メインシャーシの上下動によりフラットフレキシブルケーブルが大きく揺動され
ることもないので、該フラットフレキシブルケーブルが従来のようにトレイや筐体に接触
して損傷されるおそれもない。更に、ガイド枠がエンコーダ基板を支持するホルダ本体に
一体形成されているから、部品点数が増加せず、経済的であり、エンコーダの取付作業及
びフラットフレキシブルケーブルの配線作業を迅速容易に行うことができる。
【００１７】
請求項３に記載の発明によれば、ホルダ本体の水平部に一体延設した係合枠をメインシ
ャーシの縁枠部に係合させると共に、該水平部に突設した突起部をメインシャーシの位置
決め孔に嵌入させるだけで、ホルダをメインシャーシ上の所定位置に位置決めすることが
でき、しかも、１本のビスを水平部の貫通孔を通ってメインシャーシのねじ孔にねじ込む
だけで、ホルダをメインシャーシに止着することができ、その止着に要するビスが従来よ
り少なくてよいから、その少なくなった分だけコストダウンを図ることができると共に、
その止着作業を迅速容易に行うことができる。
【００１８】
請求項４に記載の発明によれば、エンコーダ基板の一側縁を係合枠の端部に当接させる
と共に、該エンコーダ基板の他側縁に形成した凹部を位置決め片に嵌合させるだけで、そ
のエンコーダ基板をホルダの所定位置に位置決めすることができ、しかも、１本のビスを
エンコーダ基板の貫通孔を通って垂直部のねじ孔にねじ込むだけで、エンコーダ基板をホ
ルダに止着することができ、その止着に要するビスが従来より少なくてよいから、その少
なくなった分だけコストダウンを図ることができると共に、その止着作業を迅速容易に行
うことができる。
【発明を実施するための最良の形態】
【００１９】
図１から図５は本発明の実施の一形態であるディスクプレーヤの要部を示すものであっ
て、略Ｌ字状ホルダ本体２２Ａと、該ホルダ本体２２Ａの水平部２２ａに一体形成した略
偏平角筒状ガイド枠２２Ｂとからなる合成樹脂製ホルダ２２を有し、ガイド枠２２Ｂの下
部をメインシャーシ５の貫通孔２１に挿入することにより、ホルダ本体２２Ａの水平部２
２ａがメインシャーシ５上に載置されると共に、該ホルダ本体２２Ａの垂直部２２ｂにエ
ンコーダ基板１１ｃが配置され、該エンコーダ基板１１ｃのコネクタ１９に一端部を接続
したフラットフレキシブルケーブルＦＦＣの他端部がガイド枠２２Ｂの挿通孔２２ｃ内を
通過してメイン基板１２のコネクタ２０に接続されている。上記以外の構成は図６から図
８に示す構成とほぼ同一であるから、同じ部分に同一符号を付してその説明を省略する。
【００２０】
上記構成によれば、ホルダ２２のガイド枠２２Ｂがメインシャーシ５の貫通孔２１に挿
通されており、該ガイド枠２２Ｂ内にフラットフレキシブルケーブルＦＦＣを挿通してエ
ンコーダ基板１１ｃとメイン基板１２とを接続しているから、該フラットフレキシブルケ
ーブルＦＦＣの長さを従来に比べて短くして材料費を安くすることができる。また、前記
ガイド枠２２Ｂが合成樹脂により成形されているから、そのガイド枠２２Ｂでフラットフ
レキシブルケーブルＦＦＣを損傷させるおそれがなく、しかも、メインシャーシ５の上下
動ｅ，ｆによりフラットフレキシブルケーブルＦＦＣが大きく揺動されることもないので
、該フラットフレキシブルケーブルＦＦＣが従来のようにトレイ１や筐体２に接触して損
傷されるおそれもない。更に、ガイド枠２２Ｂがエンコーダ基板１１ｃを支持するホルダ
本体２２Ａに一体形成されているから、部品点数が増加せず、経済的であり、エンコーダ
１１の取付作業及びフラットフレキシブルケーブルＦＦＣの配線作業を迅速容易に行うこ
とができる。
【００２１】
図１、図３及び図５に示すように、水平部２２ａの下面に一対の突起部２４が突設され
ると共に、その水平部２２ａの一側縁に略コ字状係合枠２５が一体延設されており、該係
合枠２５をメインシャーシ５の側縁から直角に起立する縁枠部５ｂに係合すると共に、前
記突起部２４をメインシャーシ５に貫設した位置決め孔２６に嵌入させ、ビス１８を水平
部２２ａの貫通孔２７を通ってメインシャーシ５のねじ孔２８にねじ込むことにより、そ
の水平部２２ａがメインシャーシ５に止着されている。
【００２２】
上記構成によれば、ホルダ本体２２Ａの水平部２２ａに一体延設した係合枠２５をメイ
ンシャーシ５の縁枠部５ｂに係合させると共に、該水平部２２ａに突設した各突起部２４
をメインシャーシ５の位置決め孔２６に嵌入させるだけで、ホルダ２２をメインシャーシ
５上の所定位置に位置決めすることができ、しかも、１本のビス１８を水平部２２ａの貫
通孔２７を通ってメインシャーシ５のねじ孔２８にねじ込むだけで、ホルダ２２をメイン
シャーシ５に止着することができ、その止着に要するビスが従来より少なくてよいから、
その少なくなった分だけコストダウンを図ることができると共に、その止着作業を迅速容
易に行うことができる。
【００２３】
図１、図２及び図５に示すように、前記係合枠２５の端部が垂直部２２ｂの一側縁を通
って水平部２２ａとは逆方向に延ばされ、前記垂直部２２ｂの他側縁に位置決め片３０が
水平部２２ａとは逆方向に一体突設されており、エンコーダ基板１１ｃの一側縁を係合枠
２５の端部に当接させると共に、該エンコーダ基板１１ｃの他側縁に凹設した凹部３１を
位置決め片３０に嵌合させ、ビス１８をエンコーダ基板１１ｃの貫通孔３２を通って垂直
部２２ｂのねじ孔３３にねじ込むことにより、その垂直部２２ｂにエンコーダ基板１１ｃ
が止着されている。
【００２４】
上記構成によれば、エンコーダ基板１１ｃの一側縁を係合枠２５の端部に当接させると
共に、該エンコーダ基板１１ｃの他側縁に形成した凹部３１を位置決め片３０に嵌合させ
るだけで、そのエンコーダ基板１１ｃをホルダ２２の所定位置に位置決めすることができ
、しかも、１本のビス１８をエンコーダ基板１１ｃの貫通孔３２を通って垂直部２２ｂの
ねじ孔３３にねじ込むだけで、エンコーダ基板１１ｃをホルダ２２に止着することができ
、その止着に要するビス１８が従来より少なくてよいから、その少なくなった分だけコス
トダウンを図ることができると共に、その止着作業を迅速容易に行うことができる。
【図面の簡単な説明】
【００２５】
【図１】本発明の実施の一形態であるディスクプレーヤの要部を示す縦断面図である。
【図２】同要部の平面図である。
【図３】図２のＡ−Ａ矢視図である。
【図４】同要部の斜視図である。
【図５】同要部の分解斜視図である。
【図６】（ａ）はメインシャーシ上動状態の縦断面図、（ｂ）はメインシャーシ下動状態の縦断面図である。
【図７】メインシャーシの平面図である。
【図８】従来例を示す要部の縦断面図である。
【符号の説明】
【００２６】
１          トレイ
２          筐体
３          ターンテーブル
４          光ピックアップ
５          メインシャーシ
５ａ        メインシャーシの後端部
５ｂ        メインシャーシの縁枠部
６          ヒンジ部
７          カム軸
８          カム板
１０        送りモータ
１１        エンコーダ
１１ｂ      エンコーダの投受光器
１１ｃ      エンコーダ基板
１２        メイン基板
１７        アングル材
１８        ビス
１９、２０  コネクタ
２２        ホルダ
２２Ａ      ホルダ本体
２２Ｂ      ガイド枠
２２ａ      水平部
２２ｂ      垂直部
２４        突起部
２５        係合枠
２６        位置決め孔
２７        貫通孔
２８        ねじ孔
３０        位置決め片
３１        凹部
３２        貫通孔
３３        ねじ孔
ＦＦＤ      フラットフレキシブルケーブル
Ｄ          ディスク
【図１】
2005135471.tif 000003
【図２】
2005135471.tif 000004
【図３】
2005135471.tif 000005
【図４】
2005135471.tif 000006
【図５】
2005135471.tif 000007
【図６】
2005135471.tif 000008
【図７】
2005135471.tif 000009
【図８】
2005135471.tif 000010